【手続補正書】
【提出日】平成23年9月1日(2011.9.1)
【手続補正１】
【補正対象書類名】特許請求の範囲
【補正対象項目名】全文
【補正方法】変更
【補正の内容】
【特許請求の範囲】
【請求項１】
帯状体に絵柄を印刷する印刷手段と、
前記印刷手段によって印刷された絵柄を検出する検出手段と、
前記検出手段を帯状体の幅方向に移動させる検出手段移動手段と、
前記印刷手段で印刷された前記帯状体を、帯状体搬送方向と直行する方向に断裁する断裁手段と、
前記検出手段が前記絵柄を検出した時の前記断裁手段の回転位相を求め、求めた回転位相と予め定められた基準の回転位相を比較し、比較した結果に応じて前記断裁手段による前記帯状体の断裁位置を調整する制御手段と
を備えた帯状体断裁位置制御装置において、
前記制御手段が、第１のしきい値と第１のしきい値より大きい第２のしきい値を記憶し、
前記印刷手段で印刷される絵柄の画像データのうち、第１のしきい値より小さい画像データの第１の画素の位置を求めると共に、
前記印刷手段で印刷される絵柄の画像データのうち、第２のしきい値より大きい画像データの第２の画素の位置を求め、
前記第１の画素の位置及び前記第２の画素の位置より、前記印刷手段で印刷される絵柄の画像データ内の基準とすべき絵柄を選択し、
前記基準とすべき絵柄の位置より基準とすべき断裁手段の回転位相を求め、
前記基準とすべき断裁手段の回転位相を前記予め定められた基準の回転位相とすると共に、
前記基準とすべき絵柄の位置より前記検出手段の帯状体の幅方向の位置を求め、前記検出手段移動手段を制御する
ことを特徴とする帯状体断裁位置制御装置。
【請求項２】
前記制御手段が、前記第１の画素の位置及び前記第２の画素の位置より、前記第２の画素の位置から帯状体搬送方向に平行な方向の第１の方向に予め定められた第１の数の前記第１の画素の位置が連続して並んでいる第２の画素の位置を求め、第３の画素の位置とする
ことを特徴とする請求項１に記載の帯状体断裁位置制御装置。
【請求項３】
前記制御手段が、前記第３の画素の位置より、前記第３の画素の位置から帯状体搬送方向と直交する方向に予め定められた第２の数の前記第３の画素の位置が連続して並んでいる第３の画素の位置を求め、第４の画素の位置とする
ことを特徴とする請求項２に記載の帯状体断裁位置制御装置。
【請求項４】
前記制御手段が、前記第４の画素の位置のうち、前記第４の画素の位置から帯状体搬送方向上流側に連続して並んでいる前記第２の画素の位置の数を数え、第３の数とし、
前記第４の画素の位置のうち、前記第４の画素の位置から帯状体搬送方向と直交する方向に第２の数の範囲で、帯状体搬送方向に平行な方向の第１の方向に第３の数の範囲が、前記第２の画素の位置である前記第４の画素の位置を求め、第５の画素の位置とする
ことを特徴とする請求項３に記載の帯状体断裁位置制御装置。
【請求項５】
前記制御手段が、前記第５の画素の位置のうち、前記第５の画素の位置から帯状体搬送方向と直交する方向に第２の数の範囲で、帯状体搬送方向に平行な方向の第１の方向と反対の方向に第４の数の範囲が、前記第１の画素の位置である範囲を求め、前記基準とすべき絵柄とする
ことを特徴とする請求項４に記載の帯状体断裁位置制御装置。
【請求項６】
前記印刷手段で印刷される絵柄の画像データが、各色の画像データに予め定められた各色毎の係数を乗算し、それらの乗算された各色毎の画像データを加算することによって求める
ことを特徴とする請求項１に記載の帯状体断裁位置制御装置。
【請求項７】
帯状体に絵柄を印刷する印刷手段と、
前記印刷手段によって印刷された絵柄を検出する検出手段と、
前記検出手段を帯状体の幅方向に移動させる検出手段移動手段と、
前記印刷手段で印刷された前記帯状体を、帯状体搬送方向と直行する方向に断裁する断裁手段と、
前記検出手段が前記絵柄を検出した時の前記断裁手段の回転位相を求め、求めた回転位相と予め定められた基準の回転位相を比較し、比較した結果に応じて前記断裁手段による前記帯状体の断裁位置を調整する制御手段と
を備えた帯状体断裁位置制御装置における帯状体断裁位置制御方法において、
第１のしきい値と第１のしきい値より大きい第２のしきい値を記憶し、
前記印刷手段で印刷される絵柄の画像データのうち、第１のしきい値より小さい画像データの第１の画素の位置を求めると共に、
前記印刷手段で印刷される絵柄の画像データのうち、第２のしきい値より大きい画像データの第２の画素の位置を求め、
前記第１の画素の位置及び前記第２の画素の位置より、前記印刷手段で印刷される絵柄の画像データ内の基準とすべき絵柄を選択し、
前記基準とすべき絵柄の位置より基準とすべき断裁手段の回転位相を求め、
前記基準とすべき断裁手段の回転位相を前記予め定められた基準の回転位相とすると共に、
前記基準とすべき絵柄の位置より前記検出手段の帯状体の幅方向の位置を求め、前記検出手段移動手段を制御する
ことを特徴とする帯状体断裁位置制御方法。
【請求項８】
前記第１の画素の位置及び前記第２の画素の位置より、前記第２の画素の位置から帯状体搬送方向に平行な方向の第１の方向に予め定められた第１の数の前記第１の画素の位置が連続して並んでいる第２の画素の位置を求め、第３の画素の位置とする
ことを特徴とする請求項７に記載の帯状体断裁位置制御方法。
【請求項９】
前記第３の画素の位置より、前記第３の画素の位置から帯状体搬送方向と直交する方向に予め定められた第２の数の前記第３の画素の位置が連続して並んでいる第３の画素の位置を求め、第４の画素の位置とする
ことを特徴とする請求項８に記載の帯状体断裁位置制御方法。
【請求項１０】
前記第４の画素の位置のうち、前記第４の画素の位置から帯状体搬送方向上流側に連続して並んでいる前記第２の画素の位置の数を数え、第３の数とし、
前記第４の画素の位置のうち、前記第４の画素の位置から帯状体搬送方向と直交する方向に第２の数の範囲で、帯状体搬送方向に平行な方向の第１の方向に第３の数の範囲が、前記第２の画素の位置である前記第４の画素の位置を求め、第５の画素の位置とする
ことを特徴とする請求項９に記載の帯状体断裁位置制御方法。
【請求項１１】
前記第５の画素の位置のうち、前記第５の画素の位置から帯状体搬送方向と直交する方向に第２の数の範囲で、帯状体搬送方向に平行な方向の第１の方向と反対の方向に第４の数の範囲が、前記第１の画素の位置である範囲を求め、前記基準とすべき絵柄とする
ことを特徴とする請求項１０に記載の帯状体断裁位置制御方法。
【請求項１２】
前記印刷手段で印刷される絵柄の画像データが、各色の画像データに予め定められた各色毎の係数を乗算し、それらの乗算された各色毎の画像データを加算することによって求める
ことを特徴とする請求項７に記載の帯状体断裁位置制御方法。
【手続補正２】
【補正対象書類名】明細書
【補正対象項目名】０００８
【補正方法】変更
【補正の内容】
【０００８】
上記の課題を解決するための第１の発明に係る帯状体断裁位置制御装置は、
帯状体に絵柄を印刷する印刷手段と、
前記印刷手段によって印刷された絵柄を検出する検出手段と、
前記検出手段を帯状体の幅方向に移動させる検出手段移動手段と、
前記印刷手段で印刷された前記帯状体を、帯状体搬送方向と直行する方向に断裁する断裁手段と、
前記検出手段が前記絵柄を検出した時の前記断裁手段の回転位相を求め、求めた回転位相と予め定められた基準の回転位相を比較し、比較した結果に応じて前記断裁手段による前記帯状体の断裁位置を調整する制御手段と
を備えた帯状体断裁位置制御装置において、
前記制御手段が、第１のしきい値と第１のしきい値より大きい第２のしきい値を記憶し、
前記印刷手段で印刷される絵柄の画像データのうち、第１のしきい値より小さい画像データの第１の画素の位置を求めると共に、
前記印刷手段で印刷される絵柄の画像データのうち、第２のしきい値より大きい画像データの第２の画素の位置を求め、
前記第１の画素の位置及び前記第２の画素の位置より、前記印刷手段で印刷される絵柄の画像データ内の基準とすべき絵柄を選択し、
前記基準とすべき絵柄の位置より基準とすべき断裁手段の回転位相を求め、
前記基準とすべき断裁手段の回転位相を前記予め定められた基準の回転位相とすると共に、
前記基準とすべき絵柄の位置より前記検出手段の帯状体の幅方向の位置を求め、前記検出手段移動手段を制御する
ことを特徴とする。
【手続補正３】
【補正対象書類名】明細書
【補正対象項目名】００２０
【補正方法】変更
【補正の内容】
【００２０】
上記の課題を解決するための第７の発明に係る帯状体断裁位置制御方法は、
帯状体に絵柄を印刷する印刷手段と、
前記印刷手段によって印刷された絵柄を検出する検出手段と、
前記検出手段を帯状体の幅方向に移動させる検出手段移動手段と、
前記印刷手段で印刷された前記帯状体を、帯状体搬送方向と直行する方向に断裁する断裁手段と、
前記検出手段が前記絵柄を検出した時の前記断裁手段の回転位相を求め、求めた回転位相と予め定められた基準の回転位相を比較し、比較した結果に応じて前記断裁手段による前記帯状体の断裁位置を調整する制御手段と
を備えた帯状体断裁位置制御装置における帯状体断裁位置制御方法において、
第１のしきい値と第１のしきい値より大きい第２のしきい値を記憶し、
前記印刷手段で印刷される絵柄の画像データのうち、第１のしきい値より小さい画像データの第１の画素の位置を求めると共に、
前記印刷手段で印刷される絵柄の画像データのうち、第２のしきい値より大きい画像データの第２の画素の位置を求め、
前記第１の画素の位置及び前記第２の画素の位置より、前記印刷手段で印刷される絵柄の画像データ内の基準とすべき絵柄を選択し、
前記基準とすべき絵柄の位置より基準とすべき断裁手段の回転位相を求め、
前記基準とすべき断裁手段の回転位相を前記予め定められた基準の回転位相とすると共に、
前記基準とすべき絵柄の位置より前記検出手段の帯状体の幅方向の位置を求め、前記検出手段移動手段を制御する
ことを特徴とする。